(57)【特許請求の範囲】
【請求項１】
貫通孔から配線が引き出された造営材に固定される器具本体と、
前記器具本体に収容される電源部および光源部と、
前記光源部を覆う透光性カバーと、を備え、
前記器具本体は、前記造営材に対面する側面において前記造営材に接触可能な複数の凸部と、
前記各凸部間に設けられ、前記造営材に対して接触することなく対面するとともに前記配線を収容可能な凹部と、
前記凹部に設けられ、前記配線を前記器具本体に引込可能な引き込み孔と、を有し、
前記各凸部間に設けられ、前記各凸部の突出方向と同じ方向に突出する外側ダボを有し、
前記外側ダボは、前記造営材に螺合される固定ビスが挿通可能な挿通孔が頂部に設けられ、
前記外側ダボの突出寸法は、前記凹部を基準として前記各凸部の突出寸法以下である照明器具。
【請求項２】
貫通孔から配線が引き出された造営材に固定される器具本体と、
前記器具本体に収容される電源部および光源部と、
前記光源部を覆う透光性カバーと、を備え、
前記器具本体は、前記造営材に対面する側面において前記造営材に接触可能な複数の凸部と、
前記各凸部間に設けられ、前記造営材に対して接触することなく対面するとともに前記配線を収容可能な凹部と、
前記凹部に設けられ、前記配線を前記器具本体に引込可能な引き込み孔と、を有し、
前記各凸部、前記凹部および前記引き込み孔が、前記器具本体において互いに隣り合う２つの側面にそれぞれ設けられている照明器具。
【請求項３】
貫通孔から配線が引き出された造営材に固定される器具本体と、
前記器具本体に収容される電源部および光源部と、
前記光源部を覆う透光性カバーと、を備え、
前記器具本体は、前記造営材に対面する側面において前記造営材に接触可能な複数の凸部と、
前記各凸部間に設けられ、前記造営材に対して接触することなく対面するとともに前記配線を収容可能な凹部と、
前記凹部に設けられ、前記配線を前記器具本体に引込可能な引き込み孔と、を有し、
前記各凸部間に設けられ、前記器具本体の内部に突出する内側ダボを有し、
前記内側ダボは、前記光源部を支持する照明器具。
【請求項４】
請求項１に記載の照明器具において、
前記各凸部、前記凹部および前記引き込み孔が、前記器具本体において互いに隣り合う２つの側面にそれぞれ設けられている照明器具。
【請求項５】
請求項１に記載の照明器具において、
前記各凸部間に設けられ、前記器具本体の内部に突出する内側ダボを有し、
前記内側ダボは、前記光源部を支持する照明器具。
【請求項６】
請求項２に記載の照明器具において、
前記各凸部間に設けられ、前記器具本体の内部に突出する内側ダボを有し、
前記内側ダボは、前記光源部を支持する照明器具。
【請求項７】
貫通孔から配線が引き出された造営材に固定される器具本体と、
前記器具本体に収容される電源部および光源部と、
前記光源部を覆う透光性カバーと、を備え、
前記器具本体は、前記造営材に対面する側面において前記造営材に接触可能な複数の凸部と、
前記各凸部間に設けられ、前記造営材に対して接触することなく対面するとともに前記配線を収容可能な凹部と、
前記凹部に設けられ、前記配線が接続可能な端子台と、を有する照明器具。
【発明の詳細な説明】
【技術分野】
【０００１】
本発明は、貫通孔から配線が引き出された造営材に器具本体が固定され、器具本体に光源部が収容され、光源部が透光性カバーで覆われる照明器具に関する。
【背景技術】
【０００２】
主に台所のシンク上部に取り付けられる照明器具は、立壁に設けられた貫通孔から屋内配線（ＶＶＦ）が引き出され、貫通孔を覆うように立壁に固定される取付板と、取付板に固定された固定ボルトと、固定ボルトに支持される器具本体とを有する。さらに、照明器具は、器具本体に収容される電源部およびＬＥＤ（Light-emitting Diode）等の光源部と、光源部を覆う透光性カバーと、器具本体の長手方向両端部を覆う端部カバーとを有する。
ＶＶＦとは、断面が豚の鼻のような（すなわち、数字の８のような）電線であり、断面長円形状で心線が並列に配置されるものをいう。
【０００３】
取付板には挿通孔が設けられ、屋内配線が引き出された位置に挿通孔が対応するようにタッピングビス等を用いて取付板が立壁に固定される。屋内配線は、挿通孔から取付板の表側に引き出される。
次いで、器具本体に設けられた引き込み孔から屋内配線を器具本体の内部に引き込んだ後、固定ボルトを器具本体の長孔に挿通させ、器具本体の内部において固定ボルトにナットを取り付けることにより器具本体を固定する。
【０００４】
この際、器具本体を固定するための固定ボルトが長孔に挿通されているため、長孔の長手方向寸法の範囲内であれば、取付板に対して器具本体は長手方向の任意位置で固定可能となっている。
そして、屋内配線を器具本体の内部において電源部に接続した後、器具本体に透光性カバーを取り付け、続いて器具本体の長手方向両端部に端部カバーが取り付けられる。
【０００５】
器具本体および透光性カバーは、互いに長手方向に沿って案内される案内レールが設けられている。従って、透光性カバーは、器具本体の長手方向の一方の端部から他方の端部に向けて互いの案内レールに案内されて、器具本体に取り付けられる。
端部カバーは、器具本体の長手方向に沿って器具本体の長手方向端部に螺合される固定ビスにより器具本体に固定される（特許文献１）。
【０００６】
なお、特許文献１の照明器具は、台所の吊下棚の下向き面にビス固定するための固定孔が器具本体に設けられている。すなわち、特許文献１の器具照明は、立壁あるいは下向き面に対して固定可能となっている。
【先行技術文献】
【特許文献】
【０００７】
【特許文献１】特許第５５０３７８７号公報
【発明の概要】
【発明が解決しようとする課題】
【０００８】
通常、立壁に設けられた貫通孔は、立壁に取り付けられる照明器具の器具本体における屋内配線の引き込み位置、すなわち器具本体における引き込み孔の位置に対応して設けられる。
しかしながら、既設の照明器具を取り外して新規の照明器具を立壁に取り付ける際、既設、新規の照明器具における引き込み孔の位置が一致しない場合、既設の照明器具と同じ個所に新規の照明器具が取り付けられない可能性がある。
【０００９】
前述した特許文献１の照明器具は、取付板の固定ボルトが器具本体の長孔に挿通されるため、取付板および器具本体の相対位置を適宜選択するとともに、取付板および器具本体間に屋内配線を収容することにより、取付板に対する器具本体の固定位置をある程度調整できるが、そのための取付板が器具本体とは別に必要であり、部品点数が増えてコスト増となっている。
【００１０】
また、特許文献１の照明器具は、取付板に対する器具本体の固定位置の調整代が、器具本体に設けられた長孔の長手方向寸法の範囲内であり、充分ではない。
このような問題は、立壁に設けられた既設の照明器具を新規の照明器具に交換する際にのみ生ずるものではなく、下向き面に取り付けられた既設の照明器具を新規の照明器具に交換する際にも同様に生じている。
【００１１】
本発明は、前述した課題を解決するためになされたものであり、その目的は、造営材から引き出された屋内配線の位置に関わらず、任意位置に取付可能な照明器具を提供することにある。
【課題を解決するための手段】
【００１２】
本発明の照明器具は、貫通孔から配線が引き出された造営材に固定される器具本体と、前記器具本体に収容される電源部および光源部と、前記光源部を覆う透光性カバーと、を備え、前記器具本体は、前記造営材に対面する側面において前記造営材に接触可能な複数の凸部と、前記各凸部間に設けられ、前記造営材に対して接触することなく対面するとともに前記配線を収容可能な凹部と、前記凹部に設けられ、前記配線を前記器具本体に引込可能な引き込み孔と、を有し、前記各凸部間に設けられ、前記各凸部の突出方向と同じ方向に突出する外側ダボを有し、前記外側ダボは、前記造営材に螺合される固定ビスが挿通可能な挿通孔が頂部に設けられ、前記外側ダボの突出寸法は、前記凹部を基準として前記各凸部の突出寸法以下である。
【００１３】
また、本発明の照明器具は、貫通孔から配線が引き出された造営材に固定される器具本体と、前記器具本体に収容される電源部および光源部と、前記光源部を覆う透光性カバーとを備え、前記器具本体は、前記造営材に対面する側面において前記造営材に接触可能な複数の凸部と、前記各凸部間に設けられ、前記造営材に対して接触することなく対面するとともに前記配線を収容可能な凹部と、前記凹部に設けられ、前記配線が接続可能な端子台とを有する。
【発明の効果】
【００１４】
本発明の照明器具によれば、造営材から引き出された屋内配線の位置に関わらず、任意位置に取付可能な照明器具を提供できる。
【図面の簡単な説明】
【００１５】
【図１】本発明に係る第１実施形態の照明器具を示す斜視図
【図２】図１のＩーＩ線断面図
【図３】図１の照明器具を示す分解斜視図
【図４】図１の照明器具を下方から見た状態を示す分解斜視図
【図５】図２の上ケースを示す断面図
【図６】図２のＩＩ−ＩＩ線断面図
【図７】図１のＩＩＩ部拡大図
【図８】図１のＩＶ部拡大図
【図９】図１の照明器具の一端部側を示す分解斜視図
【図１０】本発明に係る第２実施形態の上ケースを示す断面図
【図１１】本発明に係る第３実施形態の照明器具を示す斜視図
【図１２】図１１のＶ−Ｖ線断面図
【発明を実施するための形態】
【００１６】
以下、実施形態に係る照明器具について図面を参照して説明する。
（第１実施形態）
図１、図２に示すように、照明器具１０は、造営材１２に固定される器具本体２０と、器具本体２０に収容される電源部２２および光源部２４と、光源部２４を覆う透光性カバー２６とを備えている。また、照明器具１０は、器具本体２０および透光性カバー２６の両端部を覆う第１端部カバー２８および第２端部カバー２９を備えることが好ましい。
【００１７】
造営材１２は、下向きに形成された下向き面１３と、下向き面１３から下方に向けて延びる立壁１４とを備えている。下向き面１３の貫通孔１５から配線１６が屋内に引き出される。
【００１８】
器具本体２０は、造営材１２の下向き面１３に固定ビス３４で固定される上ケース３１と、上ケース３１の下側に取り付けられ、電源部２２および光源部２４が設けられる下ケース３２とを備えている。下ケース３２も造営材１２の立壁１４に固定ビス３４で固定されている。
【００１９】
図３、図４に示すように、器具本体２０の下ケース３２は、器具本体２０の第１長手方向端部２０Ａに設けられた第１係止孔（係止部）３５と、器具本体２０の第２長手方向端部２０Ｂに設けられた第２係止孔（係止部）３７を有する。
【００２０】
第１係止孔３５に第１端部カバー２８の第１係止部６６が係止されることにより、器具本体２０の第１長手方向端部２０Ａおよび透光性カバー２６の第１長手方向端部２６Ａが第１端部カバー２８で覆われる。
同様に、第２係止孔３７に第２端部カバー２９の第２係止部６９が係止されることにより、器具本体２０の第２長手方向端部２０Ｂおよび透光性カバー２６の第２長手方向端部２６Ｂが第２端部カバー２９で覆われている。
下ケース３２の底部３２Ａにオン・オフスイッチ３８が設けられている。
【００２１】
図３、図５に示すように、上ケース３１は、造営材１２の下向き面１３に対面する上向き側面（側面）４１と、造営材１２の立壁１４に対面する立向き側面（側面）４２とを含む。上向き側面４１および立向き側面４２は器具本体２０（図１参照）において互いに隣り合うように配置されている。
また、上ケース３１は、上向き側面４１において下向き面１３に接触可能な複数の凸部４３と、各凸部４３間に設けられた凹部４４と、凹部４４に設けられ、配線１６を器具本体２０に引込可能な引き込み孔４５とを有する。
【００２２】
さらに、上ケース３１は、各凸部４３間に設けられ、各凸部４３の突出方向と同じ方向に突出する第１外側ダボ（外側ダボ）４６および第２外側ダボ（外側ダボ）４７と、立向き側面４２に第３外側ダボ４８および第４外側ダボ４９とを有する。
加えて、上ケース３１は、一対の凸部４３間に設けられ、器具本体２０の内部５１（図２も参照）に突出する第１内側ダボ（内側ダボ）５２および第２内側ダボ（内側ダボ）５３を有する。
【００２３】
造営材１２の下向き面１３に対面する上向き側面４１の両側部に沿って一対の凸部４３が直線状に延ばされている。凸部４３は、上向き側面４１の凹部４４から下向き面１３に向けて突出され、下向き面１３に接触可能な頂部４３Ａを有する。凸部４３は、突出寸法Ｌ１が配線１６の断面最大寸法（ＶＶＦの場合は長円寸法）以上に形成されている。
【００２４】
上向き側面４１には一対の凸部４３間に凹部４４が設けられている。凹部４４は、下向き面１３に対して接触することなく対面するとともに配線１６を収容可能に一対の凸部４３に対して窪むように形成されている。具体的には、下向き面１３の貫通孔１５から引き出された配線１６が凹部４４および下向き面１３間の空間５５に収容される。
凹部４４の長手方向略中央に引き込み孔４５が開口されている。凹部４４および下向き面１３間の空間５５に収容された配線１６が引き込み孔４５から器具本体２０の内部５１に引き込まれる。引き込まれた配線１６が端子台１７に接続されている。
【００２５】
図６に示すように、凹部４４および下向き面１３間に空間５５を形成することにより、下向き面１３の貫通孔１５から引き出された配線１６を空間５５に収容して、凹部４４の引き込み孔４５まで配索できる。
これにより、下向き面１３における配線１６の引き出し位置（すなわち、貫通孔１５の位置）に関わらず、下向き面１３の所望位置（任意位置）に照明器具１０を取り付けることができる。
【００２６】
図３、図５に示すように、一対の凸部４３間に第１外側ダボ４６および第２外側ダボ４７が設けられている。第１外側ダボ４６および第２外側ダボ４７は、一対の凸部４３の突出方向と同じ方向（すなわち、造営材１２の下向き面１３の方向）に向けて突出されている。第１外側ダボ４６の頂部４６Ａに挿通孔５７が設けられ、第２外側ダボ４７の頂部４７Ａに挿通孔５８が設けられている。
第１外側ダボ４６および第２外側ダボ４７は、それぞれの突出寸法Ｌ２が凹部４４を基準として各凸部４３の突出寸法Ｌ１以下に形成されている。
【００２７】
図７に示すように、第１外側ダボ４６の挿通孔５７は、固定ビス３４（図２参照）が挿通可能に形成されている。具体的には、挿通孔５７は、固定ビス３４が挿通可能な円形状のだるま孔５７Ａと、だるま孔５７Ａに連通して器具本体２０の長手方向に延びる長孔５７Ｂとを有する。
【００２８】
だるま孔５７Ａに固定ビス３４が挿通され、挿通された固定ビス３４に対して長孔５７Ｂを移動させることができる。これにより、器具本体２０を長手方向に移動させて、器具本体２０の取付位置を調整できる。器具本体２０の取付位置を調整した後、固定ビス３４を造営材１２の下向き面１３に螺合することにより、下向き面１３（図２参照）に第１外側ダボ４６が固定される。
【００２９】
図８に示すように、第２外側ダボ４７の頂部４７Ａには一対の挿通孔５８が形成されている。第２外側ダボ４７の挿通孔５８は、固定ビス３４（図２参照）が挿通可能に形成され、かつ、器具本体２０の長手方向に対して直交する方向に延びる長孔である。
【００３０】
第２外側ダボ４７の挿通孔５８に固定ビス３４が挿通され、挿通された固定ビス３４に対して挿通孔５８を移動させることができる。これにより、器具本体２０を長手方向に対して直交する方向に移動させて、器具本体２０の取付位置を調整できる。
器具本体２０の取付位置を調整した後、固定ビス３４を造営材１２の下向き面１３に螺合することにより、下向き面１３（図２参照）に第２外側ダボ４７が固定される。
【００３１】
図２、図３に示すように、第１外側ダボ４６の挿通孔５７や第２外側ダボ４７の挿通孔５８に固定ビス３４が挿通されて下向き面１３に螺合されることにより、器具本体２０（すなわち、照明器具１０）が造営材１２に安定的に固定される。
ここで、第１外側ダボ４６および第２外側ダボ４７の突出寸法Ｌ２が一対の凸部４３の突出寸法Ｌ１以下に形成されている。これにより、一対の凸部４３を下向き面１３に当接させて器具本体２０を下向き面１３に安定的に固定できる。
【００３２】
図３に戻って、立向き側面４２の第３外側ダボ４８は、第１外側ダボ４６と類似形状に形成されているので詳しい説明を省略する。また、立向き側面４２の第４外側ダボ４９は、第２外側ダボ４７と類似形状に形成されているので詳しい説明を省略する。
【００３３】
図２、図４に示すように、上向き側面４１の凹部４４には第１内側ダボ５２および第２内側ダボ５３が設けられている。第１内側ダボ５２および第２内側ダボ５３が器具本体２０の内部５１に突出され、第１内側ダボ５２および第２内側ダボ５３で光源部２４が（具体的には、下ケース３２）支持される。下ケース３２に光源部２４のＬＥＤ回路基板２５が設けられている。
よって、ＬＥＤ回路基板２５を下向き面１３から下方に離した状態（すなわち、浮かせた状態）に支持できる。
【００３４】
これにより、造営材１２の下向き面１３の平坦度が低い場合（すなわち、波打っている場合）でも、下向き面１３の波打ち形状を光源部２４に影響させないようにでき、ＬＥＤ回路基板２５に変形や割れ等が生じないようにできる。
また、ＬＥＤ回路基板２５を下向き面１３から下方に離した状態に支持することによりＬＥＤ回路基板２５の放熱性も得られる。
【００３５】
以上説明したように、第１実施形態の照明器具１０は、貫通孔１５から配線１６が引き出された造営材１２に固定される器具本体２０と、器具本体２０に収容される電源部２２および光源部２４と、光源部２４を覆う透光性カバー２６とを備えている。器具本体２０は、造営材１２に対面する側面４１、４２において造営材１２に接触可能な複数の凸部４３と、各凸部４３間に設けられ、造営材１２に対して接触することなく対面するとともに配線を収容可能な凹部４４とを有する。さらに、器具本体２０は、凹部４４に設けられ、配線１６を器具本体２０に引込可能な引き込み孔を有する。
【００３６】
また、好ましくは、第１実施形態の照明器具１０は、各凸部４３間に設けられ、各凸部４３の突出方向と同じ方向に突出する第１外側ダボ４６、第２外側ダボ４７を有する。第１外側ダボ４６、第２外側ダボ４７は、造営材１２に螺合される固定ビス３４が挿通可能な挿通孔５７、５８が頂部４６Ａ、４７Ａに設けられている。さらに、第１外側ダボ４６、第２外側ダボ４７の突出寸法Ｌ２は、凹部４４を基準として各凸部４３の突出寸法Ｌ１以下である。
【００３７】
さらに、好ましくは、第１実施形態の照明器具１０は、各凸部４３間に設けられ、器具本体２０の内部５１に突出する第１内側ダボ５２、５３を有する。第１内側ダボ５２、５３は、光源部２４を支持する部位である。
【００３８】
図２、図９に示すように、下ケース３２の光源部２４が透光性カバー２６で覆われている。光源部２４は、ＬＥＤ回路基板２５に実装されるＬＥＤパッケージ２１と、ＬＥＤパッケージ２１を覆うとともに下ケース３２（器具本体９１）に固定されるＬＥＤパッケージカバー２３とを有する。
透光性カバー２６は、略Ｕ字状の断面形状が連続する本体部６１と、本体部６１における断面形状両端部に設けられた一対の爪部６２とを有する。一対の爪部６２が下ケース３２のＬＥＤパッケージカバー２３に係合することにより透光性カバー２６が光源部２４を覆う位置に取り付けられる（図２も参照）。
【００３９】
この際に、透光性カバー２６は、器具本体２０の長手方向に対して直交する方向（すなわち、矢印Ａ方向）に沿って一対の爪部６２が器具本体２０に係合されることにより器具本体２０に確実に取り付けられる。
これにより、照明器具１０の長手方向両端側に別の立壁や棚等の造作物が配置されていても、透光性カバー２６の設置に支障が生じない。
【００４０】
器具本体２０の第１長手方向端部２０Ａおよび透光性カバー２６の第１長手方向端部２６Ａが第１端部カバー２８で覆われている。第１端部カバー２８は、カバー本体６４と、カバー本体６４の両側部に設けられた一対の第１案内レール（案内レール）６５と、カバー本体６４の下端部に設けられた第１係止部（係止部）６６とを有する。
【００４１】
一対の第１案内レール６５は、第１端部カバー２８が器具本体２０の第１長手方向端部２０Ａに対して直交する方向（矢印Ａ方向）に沿って案内可能に形成されている。また、第１係止部６６は、器具本体２０の第１係止孔３５（図４参照）に係止可能に形成されている。
第１端部カバー２８が矢印Ａ方向に沿って案内され、第１係止部６６が器具本体２０の第１係止孔３５に係止されることにより、第１端部カバー２８が器具本体２０の第１長手方向端部２０Ａに取り付けられる。
これにより、器具本体２０の第１長手方向端部２０Ａおよび透光性カバー２６の第１長手方向端部２６Ａが第１端部カバー２８のカバー本体６４で覆われる。
【００４２】
また、図１、図４に示すように、器具本体２０の第２長手方向端部２０Ｂおよび透光性カバー２６の第２長手方向端部３２Ｂが第２端部カバー２９で覆われている。第２端部カバー２９は、カバー本体６７（図３も参照）と、カバー本体６７の両側部に設けられた一対の第２案内レール（案内レール）６８と、カバー本体６７の下端部に設けられた第２係止部（係止部）６９とを有する。
第２端部カバー２９は、第１端部カバー２８と同様に、器具本体２０の第２長手方向端部２０Ｂに取り付けられる。これにより、器具本体２０の第２長手方向端部２０Ｂおよび透光性カバー２６の第２長手方向端部２６Ｂが第２端部カバー２９のカバー本体６７で覆われる。
【００４３】
このように、透光性カバー２６を矢印Ａ方向に沿って器具本体２０に取り付け、第１端部カバー２８および第２端部カバー２９を矢印Ａ方向に沿って取り付けることができる。
これにより、照明器具１０の長手方向両端部側に別の立壁や棚等の造作物が配置されていても、器具本体２０に透光性カバー２６、第１端部カバー２８および第２端部カバー２９を取り付けることができ、照明器具１０の設置に支障が生じない。
【００４４】
また、第１端部カバー２８を第１案内レール６５で所定位置まで案内し、所定位置で第１係止部６６を第１係止孔３５に係止するようにした。同様に、第２端部カバー２９を第２案内レール６８で所定位置まで案内し、所定位置で第２係止部６９を第２係止孔３７に係止するようにした。
これにより、第１端部カバー２８や第２端部カバー２９を手探り作業でも確実に器具本体２０に取り付けることができる。
【００４５】
次に、第２実施形態、第３実施形態の照明器具を図１０〜図１２に基づいて説明する。
なお、第２実施形態、第３実施形態において第１実施形態の照明器具１０と同一類似部材については同じ符号を付して説明を省略する。
【００４６】
（第２実施形態）
図１０に示すように、照明器具８０は、上ケース３１の立向き側面４２を上ケース８１の立向き側面（側面）８２に代えたもので、その他の構成は実施形態１の照明器具１０と同様である。立向き側面８２は、一対の凸部８３、凹部８４および引き込み孔８５を備えたもので、その他の構成は実施形態１の立向き側面４２と同様である。
【００４７】
造営材１２の立壁１４に対面する立向き側面８２の上下の側部に沿って一対の凸部８３が直線状に延ばされている。凸部８３は、立向き側面８２の凹部８４から立壁１４に向けて突出され、立壁１４に接触可能な頂部８３Ａを有する。凸部８３は、突出寸法Ｌ３が配線１６（図５参照）の断面最大寸法（ＶＶＦの場合は長円寸法）以上に形成されている。
【００４８】
よって、立壁１４における配線１６の引き出し位置に関わらず、立壁１４の所望位置（任意位置）に照明器具８０を取り付けることができる。これにより、造営材１２の互いに隣り合う２つの取付面（例えば、下向き面１３および立壁１４）のどちらの面にも照明器具８０を配線１６の引き出し位置に関わらず所定位置（任意位置）に固定できる。
【００４９】
すなわち、第２実施形態の照明器具８０は、各凸部４３、８３、凹部４４、８４および引き込み孔４５、８５が、器具本体において互いに隣り合う２つの側面４１、８２にそれぞれ設けられている。
【００５０】
（第３実施形態）
図１１、図１２に示すように、照明器具９０は、造営材１２の下向き面１３（図１参照）に取り付けられる。この照明器具９０は、照明器具９０の上部（側面）に複数の凸部９３を備え、複数の凸部９３間に凹部９４が形成され、凹部９４に端子台９５が設けられている。端子台９５は、光源部９６にあらかじめ配線され、造営材１２の貫通孔１５から引き出された配線１６（図６参照）が接続される。
【００５１】
造営材１２の貫通孔１５から凹部９４に配線１６が引き出され、引き出された配線１６が端子台９５に接続されることにより配線１６の配索が完了する。これにより、造営材１２における配線１６の引き出し位置に関わらず所望位置（任意位置）に照明器具９０を取り付けることができる。
【００５２】
すなわち、第３実施形態の照明器具９０は、貫通孔１５から配線１６が引き出された造営材１２に固定される器具本体９１と、器具本体９１に収容される電源部２２および光源部９６と、光源部９６を覆う透光性カバー９７とを備えている。さらに、照明器具９０は、造営材１２に対面する側面において造営材１２に接触可能な複数の凸部９３と、各凸部９３間に設けられ、造営材１２に対して接触することなく対面するとともに配線１６を収容可能な凹部９４とを有する。加えて、照明器具９０は、凹部９４に設けられ、配線１６が接続可能な端子台９５を有する。
【００５３】
光源部２４は、器具本体９１に支持されるＬＥＤ回路基板９８と、ＬＥＤ回路基板９８に実装されるＬＥＤパッケージ９９と、ＬＥＤパッケージ９９を覆うとともに器具本体９１に固定されるＬＥＤパッケージカバー１０１とを有する。
ＬＥＤパッケージカバー１０１の両側部に、透光性カバー１０２の一対の爪部１０３が係合される。ＬＥＤパッケージカバー１０１の両側部に各爪部１０３を係合させることにより、ＬＥＤパッケージカバー１０１に各爪部１０３を係合させる係合部材を別途用意する必要がない。
【００５４】
なお、本発明の照明器具は、前述した各実施形態に限定されるものではなく適宜変更、改良等が可能である。
例えば、第１実施形態〜第３実施形態で使用した照明器具、造営材、貫通孔、配線、端子台、器具本体、電源部、光源部、透光性カバー、上向き側面、立向き側面、凸部、凹部、引き込み孔、第１外側ダボ、第２外側ダボ、第１内側ダボ、第２内側ダボおよび挿通孔等の形状や構成は例示したものに限定するものではなく適宜変更が可能である。
【符号の説明】
【００５５】
１０、８０、９０  照明器具
１２  造営材
１５  貫通孔
１６  配線
１７、９５  端子台
２０、９１  器具本体
２２  電源部
２４、９６  光源部
２６、１０２  透光性カバー
３４  固定ビス
４１  上向き側面（側面）
４２、８２  立向き側面（側面）
４３、８３、９３  凸部
４４、８４、９４  凹部
４５、８５  引き込み孔
４６  第１外側ダボ（外側ダボ）
４６Ａ  第１外側ダボの頂部
４７  第２外側ダボ（外側ダボ）
４７Ａ  第２外側ダボの頂部
５１  器具本体の内部
５２  第１内側ダボ（内側ダボ）
５３  第２内側ダボ（内側ダボ）
５７、５８  挿通孔
Ｌ１  凸部の突出寸法
Ｌ２  第１外側ダボ、第２外側ダボの突出寸法
【図１】
0006341375.tif 000002
【図２】
0006341375.tif 000003
【図３】
0006341375.tif 000004
【図４】
0006341375.tif 000005
【図５】
0006341375.tif 000006
【図６】
0006341375.tif 000007
【図７】
0006341375.tif 000008
【図８】
0006341375.tif 000009
【図９】
0006341375.tif 000010
【図１０】
0006341375.tif 000011
【図１１】
0006341375.tif 000012
【図１２】
0006341375.tif 000013